(57)【要約】  【課題】  本発明は、カタログギフト用の商品カタログや贈答主からの写真等を掲載した媒体の再利用に際して、カタログ掲載媒体の再利用を容易ならしめるカタログギフトシステムの提供を目的とする。【解決手段】  本発明は、贈答用のカタログ情報を掲載する手段としてデジタルフォトフレーム（２０）を用い、該デジタルフォトフレームの記憶部にカタログ情報（ＣＡ（ｘ））とともに贈答主である顧客からのオリジナル画像情報（ＩＭ（ｎ））を格納し、前記カタログ情報とオリジナル画像情報の格納されたデジタルフォトフレームを贈答品受取り主に送付し、受取り主は当該デジタルフォトフレームに格納されたカタログ情報（ＣＡ（ｘ））をデジタルフォトフレーム（２０）に表示し、表示されたカタログ情報から贈答希望商品を選択し、郵便またはインターネットを介して希望商品を申し込むようにして上記の課題を解決する。【選択図】図１
2013077158.tif 000002
【特許請求の範囲】
【請求項１】
カタログギフト方式の贈答システムにおいて、贈答用のカタログ情報を掲載する手段としてデジタルフォトフレームを用い、該デジタルフォトフレームの記憶部にカタログ情報とともに贈答主である顧客からのオリジナル画像情報を格納し、前記カタログ情報とオリジナル画像情報の格納されたデジタルフォトフレームを贈答品受取り主に送付し、受取り主は当該デジタルフォトフレームに格納されたカタログ情報を表示し、表示されたカタログ情報から贈答希望商品を選択し、郵便またはインターネットを介して前記贈答希望商品を申し込むようにしたことを特徴とするカタログギフトシステム。
【請求項２】
前記カタログ情報は、商品売り主である店舗側に用意されたＷｅｂサイト上のデータベースに格納された商品群から顧客が所定の商品を選択して生成したカタログギフト用のカタログ情報であることを特徴とする請求項1記載のカタログギフトシステム。
【請求項３】
前記オリジナル画像情報は顧客が提供するデジタル画像情報であり、前記オリジナル画像情報は、顧客を特定する識別情報で関連付けられて前記Ｗｅｂサイト上のデータベースに一時的に格納されていることを特徴とする請求項１記載のカタログギフトシステム。
【請求項４】
前記オリジナル画像情報は所定時間経過後に消去するようにしたことを特徴とする請求項３記載のカタログギフトシステム。
【請求項５】
前記オリジナル画像情報と前記カタログ情報は、デジタルフォトフレームの取り外し可能な外部メモリにのみ書き込むようにしたことを特徴とする請求項１〜３の何れか一項に記載のカタログギフトシステム。
【発明の詳細な説明】
【技術分野】
【０００１】
本発明は、カタログギフトシステムと呼ばれる贈答システムに関する。
【背景技術】
【０００２】
結婚式の引き出物、内祝い、お中元、お歳暮などの贈答の際に、贈答主が選択した商品を当該贈答品受け取り主に送るというやり方をせずに、当該贈答品にかかる情報を多数掲載したカタログ（冊子状の印刷物）を、店舗を介して贈答品受け取り主に送付し、受取り主は前記カタログを見ながら選択した希望商品を前記カタログに添付された葉書に記入し郵便で贈答希望商品を申し込む、という所謂カタログギフトと称される贈答品授受のやり方が広く利用されている。
この場合、一冊のカタログに色々な商品がまとまっているので、贈られた側も好みのものを選ぶことができて便利である。
【０００３】
しかしながら、従来のカタログギフトシステムでは既に決まった商品が一冊の冊子にまとめられているので、贈る側から見たときに、自分や相手の好みのものだけを選んだ「こだわり」のあるカタログを贈りたいという人には物足りないのである。
【０００４】
上記の仕組みを改善し、贈る側が好みの商品のギフトカードを挿入したカタログギフトを発行し、カタログとして使用した後はカードを抜いてアルバムとして使用するという技術があった。
【０００５】
例えば特許文献１には、カタログとして使用した後もアルバムとして使用することができるアルバム式カタログオーダーギフトの仕組みが開示されている。アルバム式カタログオーダーギフトの仕組みによれば、カタログカードを透明フィルム内に入れ、カタログとして使用した後はカタログカードを抜くことでアルバムとして使用することができる。
【０００６】
また、特許文献２には、所定の商品カタログカードやメッセージ、写真等を着脱可能に装備したアルバム式商品カタログの編集システムおよび、その編集システムにより作成されたアルバム式カタログが開示されている。
【０００７】
また、特許文献３には、Ｗｅｂサイトを利用して受贈者へ贈与すべき複数種の商品から商品を選択し、オンデマンドカタログとしてカタログ情報を発行し、受贈者が選択した商品を配送するカタログ選択商品贈与システムが開示されている。
【先行技術文献】
【特許文献】
【０００８】
【特許文献１】特開２００５−１９９６８６号公報
【特許文献２】特開２０１０−１５２７６９号公報
【特許文献３】特開２００９−００９３４９号公報
【発明の概要】
【発明が解決しようとする課題】
【０００９】
上記の特許文献１ならびに特許文献２に記載のアルバム式商品カタログによれば、カタログカード、メッセージ、写真などの着脱が可能であるから、カタログとして使用した後もアルバムとして使用できる。しかしながら、使用に際してはアルバムの各ページを構成する袋状の透明フィルムからカタログカードやメッセージや写真などを一枚ずつ抜くのが面倒であり、さらに、不要となった多数のカタログカードを廃棄処分する必要もあるという課題がある。
【００１０】
特許文献３のシステムによれば、オリジナルのカタログギフトが可能であるが、商品カタログは電報文書（印刷媒体）であり、商品カタログを掲載する媒体の再利用はできないものである。
【００１１】
そこで本発明は、カタログギフト用の商品カタログや贈答主からの写真等を掲載した媒体の再利用に際して、カタログ掲載媒体の再利用を容易ならしめるカタログギフトシステムの提供を目的とする。
【課題を解決するための手段】
【００１２】
本発明のカタログギフトシステムは、以下の各態様に記載の手段により上記の課題を解決するものである。
【００１３】
本発明の第１の態様は、カタログギフト方式の贈答システムにおいて、贈答用のカタログ情報を掲載する手段としてデジタルフォトフレーム（２０）を用い、該デジタルフォトフレームの記憶部にカタログ情報（ＣＡ（ｘ））とともに贈答主である顧客からのオリジナル画像情報（ＩＭ（ｎ））を格納し、前記カタログ情報とオリジナル画像情報の格納されたデジタルフォトフレーム（２０）を贈答品受取り主に送付し、受取り主は当該デジタルフォトフレーム（２０）に格納されたカタログ情報（ＣＡ（ｘ））をデジタルフォトフレーム（２０）に表示し、表示されたカタログ情報から贈答希望商品を選択し、郵便またはインターネットを介して前記贈答希望商品を申し込むようにしたことを特徴とするものである。
本発明の第１の態様によれば、カタログギフトシステム用の媒体の役割を果たした後は、記憶部に格納されたカタログ情報（ＣＡ（ｘ））ならびにオリジナル画像情報（ＩＭ（ｎ））を消去すれば通常のデジタルフォトフレームとして利用できる。
なお、前記記憶部とは、デジタルフォトフレームの内部に予め備えられた内蔵メモリあるいはデジタルフォトフレームの外部メモリ端子を介して接続する外部メモリを示すものである。また、前記オリジナル画像情報（ＩＭ（ｎ））は、当該デジタルフォトフレームによって再生され表示可能な画像情報（静止画、動画）なら何でもよい。
【００１４】
本発明の第２の態様は、前記第１の態様において、前記カタログ情報（ＣＡ（ｘ））は、商品売り主である店舗側に用意されたＷｅｂサイト（３０）上のデータベース（３２）に格納された商品群から顧客が所定の商品を選択して生成したカタログギフト用のカタログ情報であることを特徴とするものである。
本発明の第２の態様によれば、カタログ情報（ＣＡ（ｘ））は、贈答主の好みで選択した商品群を掲載したユニークなカタログ情報とすることができる。
【００１５】
本発明の第３の態様は、前記第１の態様において、前記オリジナル画像情報（ＩＭ（ｎ））は顧客（ｎ）が提供するデジタル画像情報であり、前記オリジナル画像情報（ＩＭ（ｎ））は、顧客（ｎ）を特定する識別情報（ＩＤ（ｎ）で関連付けられて前記Ｗｅｂサイト上のデータベース３２に一時的に格納されていることを特徴とするものである。
本発明の第３の態様によれば、オリジナル画像情報（ＩＭ（ｎ））は一時的に保存されているだけなので当該カタログギフトにかかる一連の処理が終了した後に消去されるものである。したがって、オリジナル画像情報（ＩＭ（ｎ））がＷｅｂサイト（３０）上のデータベース（３２）に永久に残るようなことはない。
【００１６】
本発明の第４の態様は、前記第３の態様において、前記オリジナル画像情報（ＩＭ（ｎ））を所定時間経過後に消去するようにしたことを特徴とするものである。
したがって、顧客の情報が誤って他人に使用されることが防止でき、セキュリティ性の高いシステムとなる。
【００１７】
本発明の第５の態様は、前記第１〜３の何れかに記載の態様において、前記オリジナル画像情報（ＩＭ（ｎ））と前記カタログ情報（ＣＡ（ｘ））は、デジタルフォトフレーム（２０）の取り外し可能な外部メモリ（２１）にのみ書き込むようにしたことを特徴とするものである。
本発明の第５の態様によれば、取り外し可能な外部メモリが利用できるデジタルフォトフレームを用いることにより、カタログ情報（ＣＡ（ｘ））ならびにオリジナル画像情報（ＩＭ（ｎ））を外部メモリに格納しておき、当該外部メモリをデジタルフォトフレームにセットして利用することが可能である。勿論、デジタルフォトフレームへの当該外部メモリのセットは、予め店舗側で行ってもよいし、受取り主側で行ってもよい。
【発明の効果】
【００１８】
本発明によれば、カタログギフト用の商品群の掲載されたカタログ情報をデジタルフォトフレームの記憶部（内蔵メモリ、又はメモリーカード）に記憶させたものを贈答品受取り主に送付するようにしたので、贈答品受取り主は当該デジタルフォトフレームを利用した贈答品の選択が行える。当該デジタルフォトフレームは、カタログギフトシステム用の媒体としての役割を果たした後は、通常のデジタルフォトフレームとして利用できる。
【００１９】
さらに本発明によれば、前記カタログ情報とともに贈答主からのオリジナル画像情報をデジタルフォトフレームの記憶部（内蔵メモリ、又はメモリーカード）に記憶させるようにしたのでユニークかつ意外性に富むカタログギフトの形態となる。
従って、本発明によればカタログギフトシステムにおいて「こだわり」のあるカタログを贈りたいという人に満足感を与えるものとなる。
【図面の簡単な説明】
【００２０】
【図１】本発明のカタログギフトシステムの第１実施形態を示す概念図である。
【図２】本発明のカタログギフトシステムの第２実施形態を示す概念図である。
【図３】本発明にかかるデータベース上に登録されているカタログ情報のデータ構造を示す図である。
【図４】本発明にかかるデータベース上に登録されたオリジナル画像情報のデータ構造を示す図である。
【図５】本発明にかかるデータベース上に登録され関連付けされたデータの構造を示す図である。
【図６】本発明にかかるデジタルフォトフレームに書き込むデータの構造を示す図である。
【図７】本発明のカタログ情報の登録手順を示すフローチャートである。
【図８】本発明のオリジナル画像情報の登録手順を示すフローチャートである。
【図９】本発明の第１実施形態のデータ書き込み手順を示すフローチャートである。
【図１０】本発明の第１実施形態の配送処理手順を示すフローチャートである。
【図１１】本発明の第２実施形態のデータ書き込み手順を示すフローチャートである。
【図１２】本発明の第２実施形態の配送処理手順を示すフローチャートである。
【発明を実施するための形態】
【００２１】
以下、本発明の実施の形態について図面を参照して説明する。
【００２２】
図１は本発明のカタログギフトシステムの第１実施形態を示す概念図である。第１実施形態はデジタルフォトフレームの記憶部としてデジタルフォトフレームの装置内に予め備えられているメモリ（以下、内蔵メモリという）を利用した形態の例を示すものである。
【００２３】
図２は本発明のカタログギフトシステムの第２実施形態を示す概念図である。第２実施形態はデジタルフォトフレームの記憶部として取外し可能な外部メモリであるメモリカード（以下、メモリカードという）を利用した形態の例を示すものである。
【００２４】
図１、図２において、２０は本発明のカタログギフトシステムにより生成された情報を搭載するデジタルフォトフレーム、２１はデジタルフォトフレームにセットして使用するメモリカード、２２は配送物であって前記デジタルフォトフレーム２０あるいは前記デジタルフォトフレーム２０とメモリカード２１をセットにして梱包した配送物、３０は店舗または店舗から委託された機関が運営するＷｅｂサイト、３１はＷｅｂサイト上で各種制御を行うコンピュータ、３２はデータベース、ｎは贈答主であるところの顧客（以下、単に顧客という）、５０は顧客が操作する端末を示す。
【００２５】
図３は本発明にかかるデータベース３２上に登録されているカタログ情報のデータ構造を示す図である。
【００２６】
図４は本発明にかかるデータベース３２上に登録されたオリジナル画像情報のデータ構造を示す図であって、後述の処理によりデータベース上に登録され、オリジナル画像情報と当該オリジナル画像情報と顧客ＩＤとの関係を示すものである。
【００２７】
図５は本発明にかかるデータベース３２上に登録され関連付けされたデータの構造を示す図であって、コンピュータ３１によって後述の一連の処理が施された最終段階のデータの構造を示すものである。
【００２８】
即ち、Ｗｅｂサイト３０内において、各顧客のデータは、顧客ｎ毎に顧客ＩＤ（ＩＤ（ｎ））と顧客個人情報（Ｐ（ｎ））とオリジナル画像情報（ＩＭ（ｎ））とカタログ情報（ＣＡ（ｘ））とが紐付けされた状態で管理されている。
【００２９】
図６は本発明にかかるデジタルフォトフレームに書き込むデータの構造を示す図であって、図６（１）はデジタルフォトフレームの内蔵メモリ（図示せず）に書き込むデータ構造の例、図６（２）はデジタルフォトフレームにセットして使用するメモリカード２１に書き込むデータ構造の例を示している。
【００３０】
図７は本発明のカタログ情報の登録手順を示すフローチャートである。カタログ情報の登録は、顧客ｎがリアルな店舗に出向き、該店舗において店員を介して行うこともできるが、以下は、顧客ｎが端末５０からネットワークを介してＷｅｂサイト３０にアクセスしてカタログ情報の登録を行う場合を例に説明する。
【００３１】
顧客ｎが端末５０からＷｅｂサイト３０にアクセスしてログイン手続が完了すると、端末５０に対して店舗側より複数の商品カタログが提示される（Ｓ１１）。
顧客ｎは端末５０から特定の商品を選択する（Ｓ１２）。
店舗側Ｗｅｂサイトにおいては、顧客ｎによって選択された各商品に対して商品カタログナンバー（ｘ）と顧客ＩＤ（ｎ）との関連付の処理がなされる（Ｓ１３）。
商品カタログナンバー（ｘ）の「ｘ」、顧客ＩＤ（ｎ）の「ｎ」はそれぞれ自然数を示している。各商品は商品カタログナンバー（ｘ）によって識別される。また、顧客ｎは顧客ＩＤ（ｎ）によって識別される。
このようにして顧客ｎが選択した複数の商品カタログの商品カタログナンバー（ｘ）と顧客ＩＤ（ｎ）との対応付けがコンピュータ３１で行われ、商品カタログナンバー（ｘ）に対応するカタログ情報の集合がカタログ情報ＣＡ（ｘ）としてデータベース３２に登録される（Ｓ１４）。
【００３２】
図８は本発明のオリジナル画像情報の登録手順を示すフローチャートである。オリジナル画像情報の登録は、顧客ｎがリアルな店舗に出向き、該店舗において店員を介して行うこともできるが、以下は、顧客ｎが端末５０からネットワークを介してＷｅｂサイト３０にアクセスしてオリジナル画像情報の登録を行う場合を例に説明する。
【００３３】
顧客ｎが端末５０からＷｅｂサイト３０にアクセスしてログイン手続が完了すると、端末５０に対して店舗側よりオリジナル画像情報ＩＭ（ｎ）の提示が求められるので、指示に従ってオリジナル画像情報ＩＭ（ｎ）を提示する（Ｓ２１）。即ち、顧客ｎは端末５０からオリジナル画像情報ＩＭ（ｎ）をアップロードする。
なお、オリジナル画像情報ＩＭ（ｎ）は、画像情報の集合を意味するものであり、画像の数は1つでも複数でもよい。
【００３４】
次に、店舗側Ｗｅｂサイト３０においては、顧客ｎによって提示されたオリジナル画像情報ＩＭ（ｎ）と顧客ＩＤ（ｎ）との関連付の処理がなされる（Ｓ２２）。
次に、関連付けられたオリジナル画像情報ＩＭ（ｎ）と顧客ＩＤ（ｎ）がデータベース３２に登録される（Ｓ２３）。
以上の処理により図５に示す構造のデータがデータベース内に生成される。
【００３５】
（第１実施形態の処理手順）
図９はデジタルフォトフレームの内蔵メモリ（図示せず）にデータを書き込む手順の例を示すフローチャートである。
【００３６】
まず、顧客ｎに対応する顧客ＩＤ（ｎ）を特定する（Ｓ３１）。
次に、図５に示されるデータから顧客ＩＤ（ｎ）に関連付けされたカタログ情報ＣＡ（ｘ）とオリジナル画像情報ＩＭ（ｎ）をデータベース３２から抽出する（Ｓ３２）。
次に、抽出されたカタログ情報ＣＡ（ｘ）とオリジナル画像情報ＩＭ（ｎ）をデジタルフォトフレーム（ｎ）の記憶部である内蔵メモリ（ＭＭ（ｎ））に書き込む（Ｓ３３）。
これにより内蔵メモリは、図６（１）に示すデータが書き込まれた状態となる。
【００３７】
図１０は配送処理手順を示すフローチャートである。
まず、図５に示されるデータから顧客ＩＤ（ｎ）に関連付けされた顧客個人情報Ｐ（ｎ）を参照して贈答主である顧客の氏名、住所、ならびに受取り主の氏名、送付先住所など商品の配送に必要な情報を抽出し、所定の配送伝票に必要事項をプリンターで印字した配送伝票（含む返信用葉書）を用意する（Ｓ５１）。
次に、前記Ｓ３３の処理によってデータの書き込まれたデジタルフォトフレーム（ｎ）を梱包し、前記配送伝票を貼付し配送する（Ｓ５２）。
【００３８】
（第２実施形態の処理手順）
図１１はデジタルフォトフレームのメモリカード２１にデータを書き込む手順の例を示すフローチャートである。
まず、顧客ｎに対応する顧客ＩＤ（ｎ）を特定する（Ｓ４１）。
次に、図５に示されるデータから顧客ＩＤ（ｎ）に関連付けされたカタログ情報ＣＡ（ｘ）とオリジナル画像情報ＩＭ（ｎ）をデータベース３２から抽出する（Ｓ４２）。
次に、抽出されたカタログ情報ＣＡ（ｘ）とオリジナル画像情報ＩＭ（ｎ）をメモリカード２１（ＭＣ（ｎ））に書き込む（Ｓ４３）。
これによりメモリカード２１は、図６（２）に示すデータが書き込まれた状態となる。
【００３９】
図１２は配送処理手順を示すフローチャートである。
まず、図５に示されるデータから顧客ＩＤ（ｎ）に関連付けされた顧客個人情報Ｐ（ｎ）を参照して贈答主である顧客の氏名、住所、ならびに受取り主の氏名、送付先住所など商品の配送に必要な情報を抽出し、所定の配送伝票に必要事項をプリンターで印字した配送伝票（含む返信用葉書）を用意する（Ｓ６１）。
次に、前記Ｓ４３の処理によってデータの書き込まれたメモリカード２１とデジタルフォトフレーム２０とをセットして梱包し、前記配送伝票を貼付し配送する（Ｓ６２）。
【符号の説明】
【００４０】
２０  デジタルフォトフレーム
２１  メモリカード
２２  配送物
３０  Ｗｅｂサイト
３１  コンピュータ
３２  データベース
５０  端末
【図１】
2013077158.tif 000003
【図２】
2013077158.tif 000004
【図３】
2013077158.tif 000005
【図４】
2013077158.tif 000006
【図５】
2013077158.tif 000007
【図６】
2013077158.tif 000008
【図７】
2013077158.tif 000009
【図８】
2013077158.tif 000010
【図９】
2013077158.tif 000011
【図１０】
2013077158.tif 000012
【図１１】
2013077158.tif 000013
【図１２】
2013077158.tif 000014